(57)【要約】【課題】コンピュータに関する特別な知識が不要で、ハードディスクに記憶されたデータのバックアップを容易に行うことができるデータバックアップ方法、データバックアッププログラム及びこのプログラムが記録されたコンピュータ読み取り可能な記録媒体を提供する。【解決手段】ハードディスク１０の第１のパーティションＰ１における第１の領域Ｅ１に記憶されているデータＤＴを、第１のパーティションＰ１における第１の領域Ｅ１とは異なる第２の領域Ｅ２に複製する。【選択図】図１
2007094590.tif 000002
【特許請求の範囲】
【請求項１】
ハードディスクと、該ハードディスクに記憶されたデータを複製するバックアップ手段とを有するコンピュータにおいて実行されるデータバックアップ方法であって、前記バックアップ手段は、前記ハードディスクの第１のパーティションにおける第１の領域に記憶されているデータを、前記第１のパーティションにおける前記第１の領域とは異なる第２の領域に複製することを特徴とするデータバックアップ方法。
【請求項２】
請求項１において、
前記ハードディスクは、前記第１のパーティションのみによって構成されていることを特徴とするデータバックアップ方法。
【請求項３】
ハードディスクの第１のパーティションにおける第１の領域に記憶されているデータを、前記第１のパーティションにおける前記第１の領域とは異なる第２の領域に複製するバックアップ手段としてコンピュータを機能させることを特徴とするデータバックアッププログラム。
【請求項４】
請求項３において、
前記ハードディスクは、前記第１のパーティションのみによって構成されていることを特徴とするデータバックアッププログラム。
【請求項５】
請求項３又は４に記載のデータバックアッププログラムが少なくとも記録されていることを特徴とするコンピュータ読み取り可能な記録媒体。
【発明の詳細な説明】
【技術分野】
【０００１】
本発明は、コンピュータのハードディスクに記憶された各種ソフトウェアやアプリケーションデータ等のデータバックアップ方法、データバックアッププログラム及びこのプログラムが記録されたコンピュータ読み取り可能な記録媒体に関する。
【背景技術】
【０００２】
従来、コンピュータのハードディスクに記憶された各種ソフトウェアやアプリケーションデータ等をバックアップする方法として、ネットワークを介して接続されたサーバにバックアップをとる方法、外部の記録メディア（例えば、ＣＤ−Ｒ）にバックアップをとる方法などが広く知られている。
【０００３】
又、特許文献１には、ハードディスクに２つのパーティションを作成し、一方のパーティションの内容を他方のパーティションに記憶するデータバックアップ方法が開示されている。なお、パーティションとは、ハードディスクをソフトウェア的に複数のドライブに分けるために生成される区分のことである。
【０００４】
更に、特許文献２には、第１のハードディスクの第１のパーティションに記憶されている内容を第２のハードディスクの第１のパーティションに記憶し、第２のハードディスクの第２のパーティションに記憶されている内容を第１のハードディスクの第２のパーティションに記憶するデータバックアップ方法が開示されている。
【０００５】
【特許文献１】特開２００４−３６２２２１号公報
【特許文献２】特開２００３−８４９２２号公報
【発明の開示】
【発明が解決しようとする課題】
【０００６】
このように、上記特許文献１及び２に開示された従来のデータバックアップ方法では、データのバックアップに際してハードディスクに複数のパーティションを作成する必要がある。しかしながら、コンピュータの取り扱いに慣れていない初心者やお年寄りはコンピュータに関する知識に乏しく、「パーティション」という言葉の意味の理解自体が困難である上に、従来のデータバックアップ方法では必ずパーティションの作成作業が伴うため、データのバックアップを容易に行うことができないといった問題点があった。
【０００７】
本発明は、このような問題点を解決するためなされたものであって、コンピュータに関する特別な知識が不要で、ハードディスクに記憶されたデータのバックアップを容易に行うことができるデータバックアップ方法、データバックアッププログラム及びこのプログラムが記録されたコンピュータ読み取り可能な記録媒体を提供することを目的とする。
【課題を解決するための手段】
【０００８】
本発明の発明者は、鋭意研究の結果、コンピュータの取り扱いに慣れておらず、「パーティション」という言葉の意味の理解自体が困難である初心者やお年寄りであってもハードディスクに記憶されたデータのバックアップを簡単に行うことができるデータバックアップ方法及びこれを実行するためのデータバックアッププログラムを見出した。
【０００９】
即ち、次のような本発明により、上記目的を達成することができる。
【００１０】
（１）ハードディスクと、該ハードディスクに記憶されたデータを複製するバックアップ手段とを有するコンピュータにおいて実行されるデータバックアップ方法であって、前記バックアップ手段は、前記ハードディスクの第１のパーティションにおける第１の領域に記憶されているデータを、前記第１のパーティションにおける前記第１の領域とは異なる第２の領域に複製することを特徴とするデータバックアップ方法。
【００１１】
（２）前記ハードディスクは、前記第１のパーティションのみによって構成されていることを特徴とする前記（１）記載のデータバックアップ方法。
【００１２】
（３）ハードディスクの第１のパーティションにおける第１の領域に記憶されているデータを、前記第１のパーティションにおける前記第１の領域とは異なる第２の領域に複製するバックアップ手段としてコンピュータを機能させることを特徴とするデータバックアッププログラム。
【００１３】
（４）前記ハードディスクは、前記第１のパーティションのみによって構成されていることを特徴とする前記（３）記載のデータバックアッププログラム。
【００１４】
（５）前記（３）又は（４）に記載のデータバックアッププログラムが少なくとも記録されていることを特徴とするコンピュータ読み取り可能な記録媒体。
【発明の効果】
【００１５】
本発明に係るデータバックアップ方法、データバックアッププログラム及びこのプログラムが記録されたコンピュータ読み取り可能な記録媒体は、コンピュータに関する特別な知識が不要で、ハードディスクに記憶されたデータのバックアップを容易に行うことができるという優れた効果を有する。
【発明を実施するための最良の形態】
【００１６】
以下、図面を用いて、本発明の実施形態に係るデータバックアップ方法について詳細に説明する。
【００１７】
図１は、コンピュータ（図示省略）が備えるハードディスク１０の構成を模式的に示した略示構成図である。
【００１８】
ハードディスク１０は、１つの第１のパーティションＰ１のみによって構成されており、この第１のパーティションＰ１における第１の領域Ｅ１には、各種ソフトウェア、アプリケーションデータ、各種設定値、オペレーティングシステム（ＯＳ）などからなるデータＤＴが記憶されている。
【００１９】
又、このハードディスク１０の第１のパーティションＰ１には、更に、データバックアッププログラムＰＧが記憶されており、このデータバックアッププログラムＰＧは、第１の領域Ｅ１に記憶されているデータＤＴを、第１の領域Ｅ１とは異なる第２の領域Ｅ２に複製するバックアップ手段としてコンピュータを機能させるプログラムである。
【００２０】
コンピュータにおいてデータバックアッププログラムＰＧが実行されると、第１の領域Ｅ１に記憶されているデータＤＴが、第２の領域Ｅ２に複製され、第１のパーティションＰ１にデータＤＴのバックアップが生成される。これにより、第１の領域Ｅ１に記憶されたデータＤＴがハードディスク１０の故障などによって消滅したり破損した場合であっても、第２の領域Ｅ２に記憶されたデータＤＴに基づいて、各種ソフトウェア、アプリケーションデータ、各種設定値、ＯＳなどをバックアップ作成時の状態に復元することが可能である。
【００２１】
以上説明したように、本実施形態に係るデータバックアップ方法によれば、ハードディスク１０の第１のパーティションＰ１における第１の領域Ｅ１に記憶されているデータＤＴを、第１のパーティションＰ１における第１の領域Ｅ１とは異なる第２の領域Ｅ２に複製するため、データのバックアップに際してパーティションの作成が不要である。そのため、コンピュータの取り扱いに慣れておらず、「パーティション」という言葉の意味の理解自体が困難である初心者やお年寄りであってもハードディスクに記憶されたデータのバックアップを行うことができ、コンピュータに関する特別な知識が不要である。又、パーティション作成に要する作業時間が不要で、データのバックアップを短時間で行うことができる。更に、バックアップデータが同一のパーティション内に複製されるため、バックアップデータの管理が容易である。
【００２２】
特に、ハードディスク１０は、第１のパーティションＰ１のみによって構成されているため、バックアップ作業の前後においてパーティションを全く意識することなくデータのバックアップを行うことができる。
【００２３】
なお、本発明に係るハードディスクの構成は、上記図１に示した例に限定されるものではなく、例えば、図２に示されるように、第１のパーティションＰ１と第２のパーティションＰ２の２つに分割されたハードディスク２０に適用することもできる。この場合、パーティションは複数存在することになるが、バックアップ作業に際して新たなパーティションを作成する必要がないため、パーティションの作成方法に関する知識が無くてもデータのバックアップを行うことができる。又、パーティション作成に要する作業時間が不要で、データのバックアップを短時間で行うことができる。更に、第２のパーティションＰ２の空き容量がデータＤＴの記憶容量よりも少ない場合、従来のデータバックアップ方法では第２のパーティションＰ２の空き容量を拡大するために各パーティションの領域を調整する必要があるが、本発明に係るデータバックアップ方法によれば、第１のパーティションＰ１の空き容量に余裕があれば第２のパーティションＰ２の空き容量に関係なく（各パーティションの領域を調整することなく）データＤＴのバックアップを行うことができる。
【００２４】
又、３つ以上のパーティションに分割されたハードディスクにも本発明に係るデータバックアップ方法を適用できることは言うまでもない。
【００２５】
更に、本発明に係るデータバックアッププログラムを記録したコンピュータ読み取り可能な記録媒体によれば、データバックアッププログラムを低コスト且つ容易に提供することができる。なお、本発明に係る「コンピュータ読み取り可能な記録媒体」としては、例えば、ＣＤ−ＲＯＭやＤＶＤ−ＲＯＭなどに代表される光記録媒体や、磁気記録媒体などが挙げられる。
【図面の簡単な説明】
【００２６】
【図１】本発明の実施形態に係るハードディスクの構成を模式的に示した略示構成図
【図２】本発明の他の実施形態に係るハードディスクの構成を模式的に示した略示構成図
【符号の説明】
【００２７】
ＤＴ…データ
Ｅ１…第１の領域
Ｅ２…第２の領域
Ｐ１…第１のパーティション
Ｐ２…第２のパーティション
ＰＧ…データバックアッププログラム
１０、２０…ハードディスク
【図１】
2007094590.tif 000003
【図２】
2007094590.tif 000004